(57)【要約】【課題】落下等の衝撃を受けた際に、カードが接点不良を起こすことのない携帯電子機器を提供する。【解決手段】カード２７を挿脱するための開口２６の縁部２６ａから筐体２２の内側に突出して設けた当接リブ３７と、筐体２２に対する相対位置が爪部３８により固定された枠体３１との間に回路基板２９が挟持されている。このため、携帯電子機器１０に落下等の衝撃が加わっても従来のように回路基板２９の反り、位置ずれが生じず、カード２７が接点不良を起こすことがない。また、当接リブ３７が回路基板２９の表面の一部を覆うため、回路基板２９の縁部に沿って形成された回路パターンが露出せず、短絡等のおそれが少ない。【選択図】図２
2010108293.tif 000002
【特許請求の範囲】
【請求項１】
カードホルダが実装された回路基板と、
前記回路基板を収容するとともに、前記回路基板の端面に対して対面する第１壁部と、前記回路基板における前記カードホルダが実装された表面側に対面する第２壁部とを有する筐体と、
前記カードホルダに対して前記筐体の外側からカードを挿脱するために前記第１壁部に設けられた開口と、
前記回路基板における前記表面とは反対側の裏面を支持する枠体と、
前記開口の縁部から前記筐体の内側に突出し、前記回路基板の前記表面に当接する当接リブと、
前記枠体に設けられて前記開口の前記縁部に係合する爪部とを備える携帯電子機器。
【請求項２】
前記枠体が前記筐体に固定されている請求項１に記載の携帯電子機器。
【請求項３】
前記当接リブにおける前記回路基板に当接しない表面に設けられた複数の突条を備え、
前記各突条が前記カードホルダに対する前記カードの挿脱方向に沿っている請求項１または請求項２に記載の携帯電子機器。
【請求項４】
前記当接リブと、前記爪部の係合箇所とが隣り合っている請求項１ないし請求項３のいずれかに記載の携帯電子機器。
【発明の詳細な説明】
【技術分野】
【０００１】
本発明は、識別カードを有する携帯端末機などの携帯電子機器に関するものである。
【背景技術】
【０００２】
近年の携帯端末機は、携帯端末機のケース内に設けられたカード装着部に固定されたカードコネクタに、識別カードであるＳＩＭ（Subscriber Identification Module：加入者識別モジュール）カードをスライドさせて装着するものが一般的である（例えば特許文献１参照）。
【０００３】
前述した特許文献１に記載の携帯端末機では、内部筐体は外部筐体に固定される。内部筐体と外部筐体との間には、回路基板が設けられており、回路基板にはカードコネクタが実装されている。内部筐体には電池兼カバーを取り付けるために電池保持用凹部が形成されており、電池保持用凹部にはカバーを取り外した状態でカードを装着するためのカード挿入口が設けられている。カード挿入口には一端が筐体に固定された短形の弾性片からなるスロープ兼ストッパが設けられている。
【０００４】
従って、カードを取り付ける際には、カードをスロープ兼ストッパの上をスライドさせてカード挿入口から挿入すると、カードコネクタのカード保持部に取り付けられて保持される。
【０００５】
また、図５に示すように、回路基板がメイン基板とサブ基板の２層構造となっている携帯端末機１００では、下筐体のケース１０１と下筐体のカバー１０２を組み合わせて下筐体１０３が形成されている。ケース１０１には電池１０４を収容する電池収容部１０５が開口して設けられており、電池１０４を収容して電池カバー１０１ａが取り付けられる。また、ケース１０１には、電池収容部１０５に連続して、カード１０６を出し入れするカード出し入れ口１０７が設けられている。
【０００６】
カバー１０２には、メイン基板１０８が固定されており、メイン基板１０８の上には、枠体１０９を介して、カードホルダ１１１が実装されたサブ基板１１０が積層されている。
【０００７】
従って、電池カバー１０１ａを開け、電池１０４を外し、電池収容部１０５に連続するカード出し入れ口１０７からカード１０６を挿入すると、サブ基板１１０上のカードホルダ１１１に取り付けられる。
【特許文献１】特開２００４−１２６８７７号公報
【発明の開示】
【発明が解決しようとする課題】
【０００８】
しかしながら、図５に示したような従来の携帯端末機１００においては、サブ基板１１０はケース１０１とカバー１０２との間に挟まれていて固定されていないため、携帯端末機１００を落下等して衝撃を加えた際に、サブ基板１１０が反ったり変形したりするおそれがある。このため、カード１０６が反ったりカードホルダ１１１に対する位置がずれて、接点不良を起こすおそれがあるという問題があった。
【０００９】
本発明は、従来の問題を解決するためになされたもので、落下等の衝撃を受けた際に、カードが接点不良を起こすことのない携帯電子機器を提供することを目的とする。
【課題を解決するための手段】
【００１０】
本発明の携帯電子機器は、カードホルダが実装された回路基板と、前記回路基板を収容するとともに、前記回路基板の端面に対して対面する第１壁部と、前記回路基板における前記カードホルダが実装された表面側に対面する第２壁部とを有する筐体と、前記カードホルダに対して前記筐体の外側からカードを挿脱するために前記第１壁部に設けられた開口と、前記回路基板における前記表面とは反対側の裏面を支持する枠体と、前記開口の縁部から前記筐体の内側に突出し、前記回路基板の前記表面に当接する当接リブと、前記枠体に設けられて前記開口の前記縁部に係合する爪部とを備えた構成を有している。
【００１１】
この構成により、カードを挿脱するための開口の縁部から筐体の内側に突出して設けた当接リブと、筐体に対する相対位置が爪部により固定された枠体との間に回路基板が挟持されている。すなわち、回路基板は筐体の一部である当接リブと、筐体に固定されている枠体との間に挟持されることになる。
このため、携帯電子機器に落下等の衝撃が加わって回路基板が筐体から浮く方向に力が作用した場合や、回路基板が筐体から浮く方向に反りがあった場合でも、位置ずれを防ぎ、カードの接点不良を防止することができる。また、成形によるケースの反り・膨らみにより、ケースが基板から離れる方向への作用がある場合でも、爪部の係合による引き込みでケースの浮きを防ぐことで位置ずれを防止し、カードの接点不良を防止することができる。さらに、当接リブが回路基板の表面の一部を覆うため、回路基板の縁部に沿って形成された回路パターンが露出せず、短絡等のおそれが少ない。
【００１２】
また、本発明の携帯電子機器は、前記枠体が前記筐体に固定された構成を有している。
【００１３】
この構成により、枠体が筐体に固定されるため、衝撃が加わっても筐体を構成するケースがカバーから離れるように隆起変形することがなく、初期形状を長期間維持できる。
【００１４】
さらに、本発明の携帯電子機器は、前記当接リブにおける前記回路基板に当接しない表面に設けられた複数の突条を備え、前記各突条が前記カードホルダに対する前記カードの挿脱方向に沿った構成を有している。
【００１５】
この構成により、当接リブにおける回路基板に当接しない表面、すなわちカードを摺接させる面に複数の突条を設けたので、この突条に沿ってカードを挿入することにより、カードにキズ付かず、円滑な挿脱可能となる。
【００１６】
さらに、本発明の携帯電子機器は、前記当接リブと、前記爪部の係合箇所とが隣り合った構成を有している。
【００１７】
この構成により、当接リブおよび爪部の係合箇所を製作する際の金型の製作が容易になり、製作コストの低減を図ることができる。
【発明の効果】
【００１８】
本発明は、携帯電子機器に落下等の衝撃が加わった場合、成形による筐体（ケース）の反りや膨らみが合った場合、回路基板の反りがあった場合などにおいて、筐体と基板の位置ずれを防ぎ、カードの接点不良を防止する携帯電子機器を提供することができるものである。
【発明を実施するための最良の形態】
【００１９】
以下、本発明の実施の形態の携帯電子機器について、図面を用いて説明する。
図１は本発明の第１実施形態にかかる携帯端末機を下筐体側から見た斜視図、図２は下筐体の分解斜視図、図３（Ａ）は下筐体のケースの斜視図、図３（Ｂ）は（Ａ）中Ｂ部の拡大斜視図、図４（Ａ）は下筐体のケースの正面図、図４（Ｂ）は（Ａ）中Ｂ−Ｂ位置の断面図、図４（Ｃ）は（Ａ）中Ｃ−Ｃ位置の断面図である。
【００２０】
図１に示すように、本発明の実施形態にかかる携帯電子機器としての携帯端末機１０は、下筐体２０と、上筐体４０と、下筐体２０と上筐体４０とを回動可能に支持する連結部５０を有している。下筐体２０は上筐体４０と対面する側に操作部２０ａ（図４（Ｂ）、（Ｃ）参照）を有し、上筐体４０は下筐体２０と対面する側に表示部（図示省略）を有する。
【００２１】
図２にも示すように、下筐体２０は、上筐体４０と対面する側のカバー２１と、反対側のケース２２とを有する。
ケース２２には電池２３を収容する電池収容部２４が設けられており、電池カバー２５が着脱可能に設けられている。電池収容部２４には、ＳＩＭカード（以後、「カード」という。）２７の挿脱を行うための開口であるカード挿脱口２６が、電池カバー２５および電池２３を外した状態で露出する。
また、カバー２１の内面（ケース２２側面）には、メイン基板２８が固定されており、メイン基板２８上にはチップ２８ａ等の電子部品が実装されている。
【００２２】
カバー２１とケース２２との間には、回路基板であるサブ基板２９およびサブ基板２９のカバー２１側面を支持する枠体３１が設けられている。サブ基板２９には、カード２７を装着するカードホルダ３２が設けられている。サブ基板２９および枠体３１は積層されて、カバー２１に設けられてメイン基板２９から露出しているネジ取付部３３にネジ３４によって固定されている。
すなわち、カバー２１とケース２２は最終的に一体的に結合されるので、枠体３１はカバー２１を介してケース２２に固定されることになる。また、枠体３１には、カード挿脱口２６の縁部２６ａに設けられている係合箇所２６ｂに係合する爪部３８が設けられている。
【００２３】
図３および図４に示すように、筐体としてのケース２２は、サブ基板２９の端面２９ａに対して対面する第１壁部３５と、サブ基板２９におけるカードホルダ３２が実装された表面２９ｂ側に対面する第２壁部３６とを有する。第１壁部３５に、前述したカード挿脱口２６が設けられている。カード挿脱口２６の縁部には、ケース２２の内側に突出し、裏面がサブ基板２９の表面２９ｂに当接する当接リブ３７が設けられている。
また、カード挿脱口２６の縁部２６ａには、当接リブ３７に隣接して、枠体３１の爪部３８が係合する係合箇所２６ｂが設けられている。このため、枠体３１のケース２２に対する相対位置が確定される。
【００２４】
当接リブ３７におけるサブ基板２９に当接しない表面３７ａには、複数の突条３７ｂが、カードホルダ３２に対するカード２７の挿脱方向に沿って設けられている。突条３７ｂは、カード挿入口２６の中心に対して対称な位置に設けて、カード２７を均等に保持するのが望ましい。
【００２５】
従って、組み立てる際は、カバー２１のメイン基板２８上に、枠体３１を載せ、枠体３１の上にサブ基板２９を載せて、ネジ３４により枠体３１およびサブ基板２９をカバー２１のネジ取付部３３に固定する。その後、サブ基板２９を覆うようにケース２２を被せる。
この際、ケース２２の当接リブ３７によりサブ基板２９を押さえ、さらに枠体３１の爪部３８を当接リブ３７に隣接するカード挿脱口２６の縁部２６ａに係合させて固定する。すなわち、サブ基板２９はケース２２の一部である当接リブ３７と、爪部３８を介してケース２２に固定される枠体３１との間に挟持されることになる。そして、ケース２２とカバー２１を一体的に取り付けて、下筐体２０を形成する。
【００２６】
この構成により、カード挿脱口２６の縁部２６ａからケース２２の内側に突出して設けたケース２２の一部である当接リブ３７と、ケース２２に対する相対位置が爪部３８により固定された枠体３１との間にサブ基板２９が挟持される。このため、携帯端末機１０に落下等の衝撃が加わってサブ基板２９が枠体３１から浮く方向に力が作用した場合や、サブ基板２９が枠体３１から浮く方向に反りがあった場合でも、位置ずれを防ぎ、カード２７の接点不良を防止することができる。また、成形によるケース２２の反り・膨らみにより、ケース２２がサブ基板２９から離れる方向への作用がある場合でも、爪部３８の係合による引き込みでケース２２の浮きを防ぐことで位置ずれを防止し、カード２７の接点不良を防止することができる。
また、当接リブ３７がサブ基板２９の一部を覆うため、サブ基板２９の縁部に沿って形成された回路パターンが露出せず、手で触れたり埃等が付着して短絡等を起こすのを防止する。
【００２７】
また、枠体３１が爪部３８によりケース２２に固定されるため、衝撃が加わっても筐体を構成するケース２２がカバー２１から離れるように隆起変形することがなく、初期形状を長期間維持できる。
【００２８】
また、当接リブ３７におけるサブ基板２９に当接しない表面２９ｂ、すなわちカード２７を摺接させる面に複数の突条３７ｂを設けたので、この突条３７ｂに沿ってカード２７を挿入することにより、カード２７にキズ付かず、円滑な挿脱可能となる。
【００２９】
さらに、当接リ３７と爪部３８の係合箇所２６ｂとが隣り合っているので、当接リブ３７および爪部３８の係合箇所２６ｂを製作する際の金型の製作が容易になり、製作コストの低減を図ることができる。
【００３０】
なお、本発明の携帯電子機器は、前述した実施形態に限定されるものでなく、適宜な変形，改良等が可能である。
例えば、前述した実施形態においては、携帯電子機器として携帯端末機１０を例示したが、この他、ＰＤＡ、ノートパソコン、ゲーム機等の持ち運び可能な電子機器にも適用可能である。
【産業上の利用可能性】
【００３１】
本発明は、識別カードを有する携帯端末機などの携帯電子機器への適用に好適である。
【図面の簡単な説明】
【００３２】
【図１】本発明の第１実施形態にかかる携帯端末機を下筐体側から見た斜視図
【図２】下筐体の分解斜視図
【図３】（Ａ）は下筐体のケースの斜視図、（Ｂ）は（Ａ）中Ｂ部の拡大斜視図
【図４】（Ａ）は下筐体のケースの正面図、（Ｂ）は（Ａ）中Ｂ−Ｂ位置の断面図、（Ｃ）は（Ａ）中Ｃ−Ｃ位置の断面図
【図５】従来の携帯電子機器における下筐体の分解斜視図
【符号の説明】
【００３３】
１０  携帯端末機（携帯電子機器）
２２  ケース（筐体）
２６  カード挿脱口（開口）
２６ａ  縁部
２６ｂ  係合箇所
２７  カード
２９  サブ基板（回路基板）
２９ａ  端面
２９ｂ  表面
３１  枠体
３２  カードホルダ
３５  第１壁部
３６  第２壁部
３７  当接リブ
３７ｂ  突条
３８  爪部
【図１】
2010108293.tif 000003
【図２】
2010108293.tif 000004
【図３】
2010108293.tif 000005
【図４】
2010108293.tif 000006
【図５】
2010108293.tif 000007